Podtech/llm-jp-corpus-v4-ja_patent huggingface dataset:
【手続補正書】
【提出日】平成22年12月28日(2010.12.28)
【手続補正１】
【補正対象書類名】特許請求の範囲
【補正対象項目名】全文
【補正方法】変更
【補正の内容】
【特許請求の範囲】
【請求項１】
基板にレジスト膜を形成し、露光処理後の基板を現像する塗布、現像装置において、
基板を収納しキャリアが搬入されるキャリアブロックと、
このキャリアブロックよりも奥側に設けられ、前記キャリアから取り出された露光前の基板の表面に塗布膜を形成するための塗布ブロックと、露光処理後の基板を現像するための現像ブロックと、を含む処理ブロックと、
この処理ブロックの奥側に設けられ、当該処理ブロックから露光処理前の基板を受け取り、また当該処理ブロックに露光処理後の基板を受け渡すインターフェイス部と、を備え
前記現像ブロックは、キャリアブロック側からインターフェイス部側に直線状に伸びる基板搬送路と、この基板搬送路の一方の側方に設けられ、現像液により基板を現像するための現像ユニットと、前記基板搬送路の他方の側方に設けられ、基板を加熱するための加熱装置と、前記基板搬送路に沿って基板を搬送し、前記現像ユニットと加熱装置との間で基板の受け渡しを行う基板搬送機構と、を備えた単位ブロックを互いに上下に積層して構成され、
前記加熱装置は、基板搬送路から見て側方に離れて配置された、基板を加熱する加熱プレートと、この加熱プレートよりも基板搬送路側に設けられ、前記基板搬送機構との間で基板の受け渡しを行うと共に基板を冷却する冷却プレートと、前記基板搬送機構により冷却プレートに受け渡された基板を加熱プレートに搬送し、また加熱プレートで加熱された基板を、前記基板搬送機構により基板の受け渡しが行われる冷却プレートの位置まで搬送するための機構と、を備えたことを特徴とする塗布、現像装置。
【請求項２】
前記冷却プレートは、加熱プレートと当該加熱プレートよりも基板搬送路側の位置との間で基板を搬送するように構成されていることを特徴とする請求項１記載の塗布、現像装置。
【請求項３】
前記基板搬送機構は、前記冷却プレートの外径よりも内径の大きいアーム部分と、基板を保持するために、前記アーム部分から当該アーム部分の内側に突出している突片と、を備え、
前記冷却プレートの外周には、前記アーム部分が冷却プレートを囲む位置を昇降するときに前記突片が通過できるように切り欠き部が形成されていることを特徴とする請求項２記載の塗布、現像装置。
【手続補正２】
【補正対象書類名】明細書
【補正対象項目名】００１０
【補正方法】変更
【補正の内容】
【００１０】
本発明の目的は、装置の占有面積を小さくしながら高い処理能力を得ることに寄与できる塗布、現像装置を提供することである。
【手続補正３】
【補正対象書類名】明細書
【補正対象項目名】００１１
【補正方法】変更
【補正の内容】
【００１１】
本発明は基板にレジスト膜を形成し、露光処理後の基板を現像する塗布、現像装置において、
基板を収納しキャリアが搬入されるキャリアブロックと、
このキャリアブロックよりも奥側に設けられ、前記キャリアから取り出された露光前の基板の表面に塗布膜を形成するための塗布ブロックと、露光処理後の基板を現像するための現像ブロックと、を含む処理ブロックと、
この処理ブロックの奥側に設けられ、当該処理ブロックから露光処理前の基板を受け取り、また当該処理ブロックに露光処理後の基板を受け渡すインターフェイス部と、を備え
前記現像ブロックは、キャリアブロック側からインターフェイス部側に直線状に伸びる基板搬送路と、この基板搬送路の一方の側方に設けられ、現像液により基板を現像するための現像ユニットと、前記基板搬送路の他方の側方に設けられ、基板を加熱するための加熱装置と、前記基板搬送路に沿って基板を搬送し、前記現像ユニットと加熱装置との間で基板の受け渡しを行う基板搬送機構と、を備えた単位ブロックを互いに上下に積層して構成され、
前記加熱装置は、基板搬送路から見て側方に離れて配置された、基板を加熱する加熱プレートと、この加熱プレートよりも基板搬送路側に設けられ、前記基板搬送機構との間で基板の受け渡しを行うと共に基板を冷却する冷却プレートと、前記基板搬送機構により冷却プレートに受け渡された基板を加熱プレートに搬送し、また加熱プレートで加熱された基板を、前記基板搬送機構により基板の受け渡しが行われる冷却プレートの位置まで搬送するための機構と、を備えたことを特徴とする。
【手続補正４】
【補正対象書類名】明細書
【補正対象項目名】００１８
【補正方法】変更
【補正の内容】
【００１８】
本発明によれば、キャリアブロック側からインターフェイス部側に直線状に伸びる基板搬送路の側方に現像ユニットを設け、また前記基板搬送路の他方の側方に加熱装置を設けてなる単位ブロックを互いに上下に積層して構成し、また基板搬送路から見て側方に離れて加熱プレートを配置し、この加熱プレートよりも基板搬送路側に冷却プレートを配置していることから、装置の占有面積を小さくしながら高い処理能力を得ることに寄与できる。
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
手振れ補正ユニットに搭載された撮像素子の放熱構造であって、
前記手振れ補正ユニットの近傍に放熱部材を設けるとともに、前記手振れ補正ユニットにおいて前記撮像素子の近傍に位置する金属部材と前記放熱部材とを、熱伝導性を有するフレキシブル部材で接続したことを備えることを特徴とする撮像素子の放熱構造。
【請求項２】
前記金属部材と前記放熱部材とは、前記撮像素子を挟んで対向する位置においてそれぞれフレキシブル部材で接続されていることを特徴とする請求項１に記載の撮像素子の放熱構造。
【請求項３】
前記金属部材は、前記撮像素子を前記手振れ補正ユニットに取り付け固定するための取り付け板であることを特徴とする請求項１又は２に記載の撮像素子の放熱構造。
【請求項４】
前記取り付け板はフレキシブル部材用の取り付け片を有し、該取り付け片は前記撮像素子の撮像面側とは逆の方向に延びていることを特徴とする請求項３に記載の撮像素子の放熱構造。
【請求項５】
請求項１〜４のいずれか一項に記載の放熱構造を備えたカメラであって、前記放熱部材は、前記金属部材を囲むリング形状であり、その外周縁には複数の延出部が形成されており、これら複数の延出部が前記カメラの鏡胴又はフレームに固定されていることを特徴とするカメラ。
【手続補正２】
【補正対象書類名】明細書
【補正対象項目名】００１０
【補正方法】変更
【補正の内容】
【００１０】
請求項５の発明は、請求項１〜４のいずれか一項に記載の放熱構造を備えたカメラにおいて、前記放熱部材は、前記金属部材を囲むリング形状であり、その外周縁には複数の延出部が形成されており、これら複数の延出部が前記カメラの鏡胴又はフレームに固定されていることを特徴とする。
【手続補正３】
【補正対象書類名】明細書
【補正対象項目名】００２７
【補正方法】変更
【補正の内容】
【００２７】
また、複数のフレキシブル部材８ａ〜８ｄは、Ｘ方向に平行でかつイメージセンサー５の重心を通るＸ軸線又はＹ方向に平行でかつイメージセンサー５の重心を通るＹ軸線に対してそれぞれ線対称に配置されているので、第一及び第二のアクチュエータ３２，４２にかかる放熱部材７やフレキシブル部材８ａ〜８ｄの負荷を均等にすることができ、アクチュエータ制御を個別に設定する必要がなくなる。
また、取り付け板６の外周に、イメージセンサー５の撮像面側とは逆の方向に延在する複数の凸部６１ａ〜６１ｄが形成され、これら複数の凸部６１ａ〜６１ｄに各フレキシブル部材８ａ〜８ｄが接続されているので、凸部６１ａ〜６１ｄの長さを調節することによって、放熱部材７やフレキシブル部材８ａ〜８ｄの負荷を軽減し、放熱効率が良好で理想的な撮像素子の放熱構造とすることができる。
【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
撮像素子を用いて動画撮影及び静止画撮影を行う撮像装置であって、
絞りを駆動して絞り量を調整する絞り駆動手段と、
動画撮影中に静止画撮影指示があった場合に前記撮像装置を制御し、動画撮影を中断して静止画撮影を行い、静止画撮影が完了後に動画撮影を再開する制御手段と、を備え、
前記制御手段は、動画撮影の中断時には前記絞り駆動手段による前記絞りの絞り量の調整を行わせず、動画撮影の中断前、及び動画撮影の再開後に前記絞り駆動手段による絞り量の調整を行わせる
ことを特徴とする撮像装置。
【請求項２】
前記制御手段は、動画撮影中に静止画撮影指示があった場合に、動画撮影を継続しながら、前記絞り駆動手段により前記絞りの絞り量を動画撮影に係る絞り量から静止画撮影に係る絞り量に調整させ、前記静止画撮影に係る絞り量への前記絞りの調整が完了した後に動画撮影を中断して静止画撮影を開始し、前記静止画撮影の終了後、前記絞り駆動手段により前記絞りの絞り量を前記静止画撮影に係る絞り量から前記動画撮影に係る絞り量へ調整させながら動画撮影を再開することを特徴とする請求項１に記載の撮像装置。
【請求項３】
前記制御手段は、動画撮影中に静止画撮影指示があった場合に、動画撮影を継続しながら、前記絞り駆動手段により前記絞りの絞り量を動画撮影に係る絞り量から静止画撮影に係る絞り量に調整させ、前記静止画撮影に係る絞り量への前記絞りの調整が完了した後に動画撮影を中断して静止画撮影を開始し、静止画撮影の終了後に動画撮影を再開することを特徴とする請求項１に記載の撮像装置。
【請求項４】
前記制御手段は、前記絞りの絞り量が前記動画撮影に係る絞り量から前記静止画撮影に係る絞り量に調整されたことを、前記絞り駆動手段による調整時間が、予め設定された前記動画撮影に係る絞り量から前記静止画撮影に係る絞り量までの調整に要する時間になったことにより判断することを特徴とする請求項２または３に記載の撮像装置。
【請求項５】
前記撮像素子の感度を制御する感度制御手段を更に備え、
前記感度制御手段は、前記絞り駆動手段により前記絞りの絞り量が調整されている間、前記絞り量の変化に応じて前記感度を制御して前記静止画撮影指示があった時点の動画像の輝度レベルを保つことを特徴とする請求項１乃至４のいずれか一項に記載の撮像装置。
【請求項６】
撮像素子を用いて動画撮影及び静止画撮影を行い、絞りを駆動して絞り量を調整する絞り駆動手段を有する撮像装置の制御方法であって、
前記撮像装置の制御手段が、動画撮影中に静止画撮影指示があった場合に前記撮像装置を制御し、動画撮影を中断して静止画撮影を行い、静止画撮影が完了後に動画撮影を再開する制御工程、を有し、
前記制御手段は前記制御工程において、動画撮影の中断時には前記絞り駆動手段による前記絞りの絞り量の調整を行わせず、動画撮影の中断前、及び動画撮影の再開後に前記絞り駆動手段による絞り量の調整を行わせる
ことを特徴とする撮像装置の制御方法。
【請求項７】
コンピュータを、請求項１乃至５のいずれか一項に記載の撮像装置として機能させるためのプログラム。
【手続補正２】
【補正対象書類名】明細書
【補正対象項目名】０００６
【補正方法】変更
【補正の内容】
【０００６】
上記目的は、撮像素子を用いて動画撮影及び静止画撮影を行う撮像装置であって、絞りを駆動して絞り量を調整する絞り駆動手段と、動画撮影中に静止画撮影指示があった場合に前記撮像装置を制御し、動画撮影を中断して静止画撮影を行い、静止画撮影が完了後に動画撮影を再開する制御手段と、を備え、前記制御手段は、動画撮影の中断時には前記絞り駆動手段による前記絞りの絞り量の調整を行わせず、動画撮影の中断前、及び動画撮影の再開後に前記絞り駆動手段による絞り量の調整を行わせることを特徴とする本発明による撮像装置によって達成される。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、上記目的は、撮像素子を用いて動画撮影及び静止画撮影を行い、絞りを駆動して絞り量を調整する絞り駆動手段を有する撮像装置の制御方法であって、前記撮像装置の制御手段が、動画撮影中に静止画撮影指示があった場合に前記撮像装置を制御し、動画撮影を中断して静止画撮影を行い、静止画撮影が完了後に動画撮影を再開する制御工程、を有し、前記制御手段は前記制御工程において、動画撮影の中断時には前記絞り駆動手段による前記絞りの絞り量の調整を行わせず、動画撮影の中断前、及び動画撮影の再開後に前記絞り駆動手段による絞り量の調整を行わせることを特徴とする本発明による撮像装置の制御方法によっても達成される。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００８９
【補正方法】変更
【補正の内容】
【００８９】
即ち、撮像素子１０６の最上ラインから下方へ順次電荷リセットを行う動作がフォーカルプレンシャッタ１１３の先幕を走行することと等価の役割を果たしている。また、撮像素子１０６の最上ラインから下方への順次電荷リセットする動作に追従してフォーカルプレンシャッタ１１３の遮光羽根で構成された後幕を走行させることで、撮像素子１０６にスリット露光される状態を作り出している。以後、シャッタの先幕として機能する撮像素子の順次リセット動作を電子先幕シャッタと呼び、フォーカルプレンシャッタ１１３の先幕及び後幕を「メカ先幕シャッタ」及び「メカ後幕シャッタ」と呼ぶ。
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
被写体像を結像させる撮像素子と、
前記撮像素子の領域のうち、第１の領域を含み該第１の領域より広い第２の領域の画像を表示部に表示する表示制御手段と、
前記第１の領域の画像を記録部に記録する記録制御手段と、
前記第１の領域の画像に対する第１のモード、及び前記第２の領域の画像に対する第２のモードを設定するモード設定手段と、を有し、
前記第１のモードは、前記第１の領域の画像に対する第１のゲインを設定し、
前記第２のモードは、前記第２の領域の画像に対する第２のゲインを設定することを特徴とする撮像装置。
【請求項２】
前記モード設定手段は、前記記録制御手段が前記第１の領域の画像を記録するとき、前記第２のモードから前記第１のモードへ変更し、
前記記録制御手段は、前記第１のモードで得られた前記第１の領域の画像を前記記録部に記録することを特徴とする請求項１記載の撮像装置。
【請求項３】
前記モード設定手段は、操作手段の半押し操作に従い、前記第２のモードから前記第１のモードへ変更し、
前記記録制御手段は、前記操作手段の全押し操作に従い、前記第１のモードで得られた前記第１の領域の画像を前記記録部に記録することを特徴とする請求項１又は２記載の撮像装置。
【請求項４】
前記第１のモードは、前記第１の領域の画像に対する第１の露出値を設定し、
前記第２のモードは、前記第２の領域の画像に対する第２の露出値を設定することを特徴とする請求項１乃至３のいずれか一に記載の撮像装置。
【請求項５】
前記第１のモードは、前記第１の領域の画像に対する第１のホワイトバランス値を設定し、
前記第２のモードは、前記第２の領域の画像に対する第２のホワイトバランス値を設定することを特徴とする請求項１乃至４のいずれか一に記載の撮像装置。
【請求項６】
撮像素子の領域のうち、第１の領域の画像を含み、前記第１の領域の画像より広い第２の領域の画像を表示部に表示するステップと、
前記第２の領域に対するモードを設定するステップと、
前記第２の領域に対するモードから前記第１の領域に対するモードに変更するステップと、
前記第１の領域に対するモードで得られた前記第１の領域の画像を記録部に記録するステップと、を有し、
前記第１の領域に対するモードは、前記第１の領域の画像に対する第１のゲインを設定し、
前記第２の領域に対するモードは、前記第２の領域の画像に対する第２のゲインを設定することを特徴とする撮像装置の制御方法。
【手続補正２】
【補正対象書類名】明細書
【補正対象項目名】００１０
【補正方法】変更
【補正の内容】
【００１０】
本発明の一側面としての撮像装置は、被写体像を結像させる撮像素子と、前記撮像素子の領域のうち、第１の領域を含み該第１の領域より広い第２の領域の画像を表示部に表示する表示制御手段と、前記第１の領域の画像を記録部に記録する記録制御手段と、前記第１の領域の画像に対する第１のモード、及び前記第２の領域の画像に対する第２のモードを設定するモード設定手段と、を有し、前記第１のモードは、前記第１の領域の画像に対する第１のゲインを設定し、前記第２のモードは、前記第２の領域の画像に対する第２のゲインを設定する。
【手続補正３】
【補正対象書類名】明細書
【補正対象項目名】００１１
【補正方法】変更
【補正の内容】
【００１１】
また、本発明の他の側面としての撮像装置の制御方法は、撮像素子の領域のうち、第１の領域の画像を含み、前記第１の領域の画像より広い第２の領域の画像を表示部に表示するステップと、前記第２の領域に対するモードを設定するステップと、前記第２の領域に対するモードから前記第１の領域に対するモードに変更するステップと、前記第１の領域に対するモードで得られた前記第１の領域の画像を記録部に記録するステップと、を有し、前記第１の領域に対するモードは、前記第１の領域の画像に対する第１のゲインを設定し、前記第２の領域に対するモードは、前記第２の領域の画像に対する第２のゲインを設定する。
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
複数チャンネルの音声を伴う第１の映像を受信する受信手段と、
前記第１の映像の一部を切り出して第２の映像を出力する映像出力制御手段と、
前記第２の映像と共に出力するための出力音声を生成する音声出力制御手段と、を備える受信装置において、
前記第２の映像の切り出し位置に基づいて、前記第１の映像の音声である複数チャンネルの入力音声の中から、前記出力音声の合成に用いる入力音声の組み合わせを決定する決定手段をさらに備え、
前記音声出力制御手段は、前記決定手段で決定された組み合わせの入力音声を合成して前記出力音声を生成することを特徴とする受信装置。
【請求項２】
前記第２の映像の切り出し位置に応じて定まる、前記入力音声のスピーカ位置と前記出力音声のスピーカ位置と前記第２の映像の視聴位置との位置関係に基づいて、前記視聴位置における音像を補正するための補正データを算出する補正データ算出手段をさらに備え、
前記音声出力制御手段は、前記補正データを用いて前記出力音声を生成することを特徴とする請求項１に記載の受信装置。
【請求項３】
前記補正データは、前記視聴位置における音声の到来方向を補正するためのデータとして、前記出力音声の生成に用いる前記入力音声の混合比を決めるデータを含むことを特徴とする請求項２に記載の受信装置。
【請求項４】
前記補正データは、前記視聴位置における音量を補正するためのデータとして、前記出力音声に与えるゲインを決めるデータを含むことを特徴とする請求項２または３に記載の受信装置。
【請求項５】
前記補正データは、前記視聴位置における音源までの距離を補正するためのデータとして、前記出力音声に与える遅延量を決めるデータを含むことを特徴とする請求項２〜４のうちいずれか１項に記載の受信装置。
【請求項６】
前記複数チャンネルの入力音声の中に所定の種別の入力音声が含まれている場合に、
前記音声出力制御手段は、前記第２の映像の切り出し位置にかかわらず、前記所定の種別の入力音声を所定のチャンネルの出力音声に合成することを特徴とする請求項１〜５のうちいずれか１項に記載の受信装置。
【請求項７】
複数チャンネルの音声を伴う第１の映像を受信する工程と、
前記第１の映像の一部を切り出して第２の映像を出力する工程と、
前記第２の映像と共に出力するための出力音声を生成する工程と、を備え、
前記出力音声を生成する工程が、
前記第２の映像の切り出し位置に基づいて、前記第１の映像の音声である複数チャンネルの入力音声の中から、前記出力音声の合成に用いる入力音声の組み合わせを決定する工程と、
前記決定された組み合わせの入力音声を合成して前記出力音声を生成する工程と、を含むことを特徴とする受信装置の制御方法。
【手続補正２】
【補正対象書類名】明細書
【補正対象項目名】００１０
【補正方法】変更
【補正の内容】
【００１０】
本発明に係る受信装置は、複数チャンネルの音声を伴う第１の映像を受信する受信手段と、前記第１の映像の一部を切り出して第２の映像を出力する映像出力制御手段と、前記第２の映像と共に出力するための出力音声を生成する音声出力制御手段と、を備える受信装置において、前記第２の映像の切り出し位置に基づいて、前記第１の映像の音声である複数チャンネルの入力音声の中から、前記出力音声の合成に用いる入力音声の組み合わせを決定する決定手段をさらに備え、前記音声出力制御手段は、前記決定手段で決定された組み合わせの入力音声を合成して前記出力音声を生成することを特徴とする受信装置である。
【手続補正３】
【補正対象書類名】明細書
【補正対象項目名】００１１
【補正方法】変更
【補正の内容】
【００１１】
本発明に係る受信装置の制御方法は、複数チャンネルの音声を伴う第１の映像を受信する工程と、前記第１の映像の一部を切り出して第２の映像を出力する工程と、前記第２の映像と共に出力するための出力音声を生成する工程と、を備え、前記出力音声を生成する工程が、前記第２の映像の切り出し位置に基づいて、前記第１の映像の音声である複数チャンネルの入力音声の中から、前記出力音声の合成に用いる入力音声の組み合わせを決定する工程と、前記決定された組み合わせの入力音声を合成して前記出力音声を生成する工程と、を含むことを特徴とする受信装置の制御方法である。
【手続補正書】
【提出日】平成23年1月27日(2011.1.27)
【手続補正１】
【補正対象書類名】明細書
【補正対象項目名】００１５
【補正方法】変更
【補正の内容】
【００１５】
プリンタプロファイル２２は、印刷予測プロファイル２０によって予測された印刷物Ｐ１のデバイスに依存しない測色値、例えば、測色値Ｘ、Ｙ、Ｚ又は測色値Ｌ＊、ａ＊、ｂ＊を、プリンタ１８の出力特性に依存する画像データＣ２、Ｍ２、Ｙ２、Ｋ２に変換するためのプロファイルであり、既知の画像データＣ、Ｍ、Ｙ、Ｋと、この画像データＣ、Ｍ、Ｙ、Ｋからプリンタ１８を用いて作成されたカラーチャートＣ２の測定値とに基づいて、プロファイル作成装置２４により作成される。
【手続補正２】
【補正対象書類名】明細書
【補正対象項目名】００３５
【補正方法】変更
【補正の内容】
【００３５】
この場合、複数の変更濃度条件を設定して得られる複数の分光反射率と、カラーチャートＣ１の濃度差との関係を用いて、これらの未知数を求めることができる（ステップＳ９）。例えば、Ｃ及びＭの２次色に対する目標分光反射率Ｒを求める場合、基準濃度設定値がＣ、Ｍ、この基準濃度条件で得られるカラーチャートＣ１の単色ベタ濃度がＣ＋０．０１、Ｍ−０．０１であるとすると、（４）式から、
Ｒ（Ｃ＋０．０１，Ｍ―０．０１）
＝Ｒｓｔｄ（Ｃ，Ｍ，Ｙ，Ｋ）＋０．１・ＲΔＣ（Ｃ＋０．１）
＋０．１・ＲΔＭ（Ｍ−０．１）                              （５）
が得られる。この場合、未知の分光反射率差分量ＲΔＣ（Ｃ＋０．１）、ＲΔＭ（Ｍ−０．１）を求めるためには、Ｃを０．１、−０．１、Ｍを０．１、−０．１だけ変更することにより、
Ｒ（Ｃ＋０．１１，Ｍ＋０．００９）
＝Ｒｓｔｄ（Ｃ，Ｍ，Ｙ，Ｋ）＋１．１・ＲΔＣ（Ｃ＋０．１）
＋０．０９・ＲΔＭ（Ｍ＋０．１）                            （６）
Ｒ（Ｃ−０．０９，Ｍ−０．０）
＝Ｒｓｔｄ（Ｃ，Ｍ，Ｙ，Ｋ）＋０．９・ＲΔＣ（Ｃ−０．１）    （７）
Ｒ（Ｃ−０．０１，Ｍ＋０．１）
＝Ｒｓｔｄ（Ｃ，Ｍ，Ｙ，Ｋ）＋０．１・ＲΔＣ（Ｃ−０．１）
＋ＲΔＭ（Ｍ＋０．１）                                      （８）
Ｒ（Ｃ＋０．０１，Ｍ−０．１１）
＝Ｒｓｔｄ（Ｃ，Ｍ，Ｙ，Ｋ）＋０．１・ＲΔＣ（Ｃ＋０．１）
＋１．１・ＲΔＭ（Ｍ−０．１）                              （９）
が得られる。これらの（５）〜（９）式を連立させて解くことにより、任意の目標分光反射率Ｒを求めることができる。なお、Ｃを０．１だけ変更したときの単色ベタ濃度は、Ｃ＋０．１１、Ｍ＋０．００９、Ｃを−０．１だけ変更したときの単色ベタ濃度は、Ｃ−０．０９、Ｍ−０．０、Ｍを０．１だけ変更したときの単色ベタ濃度は、Ｃ−０．０１、Ｍ＋０．１、Ｍを−０．１だけ変更したときの単色ベタ濃度は、Ｃ＋０．０１、Ｍ−０．１１であったとする。また、（５）〜（９）式は、波長毎に連立させて解く。
【手続補正３】
【補正対象書類名】明細書
【補正対象項目名】００５２
【補正方法】変更
【補正の内容】
【００５２】
この場合、例えば、Ｃ１００％のみからなる単色ベタ濃度パッチ２８の基準濃度条件での分光濃度をＤＣ（ｓｔｄ）、Ｍ１００％のみからなる単色ベタ濃度パッチ２８の基準濃度条件での分光濃度をＤＭ（ｓｔｄ）、Ｃ１００％のみからなる単色ベタ濃度パッチ２８の所定の変更濃度条件での分光濃度を（ＤＣ（ｓｔｄ）＋ΔＤＣ）、Ｍ１００％のみからなる単色ベタ濃度パッチ２８の所定の変更濃度条件での分光濃度を（ＤＭ（ｓｔｄ）＋ΔＤＭ）とすると、Ｃ１００％且つＭ１００％の網点％からなるカラーパッチ３０を所定の変更濃度条件で作成したときの分光濃度ＤＣＭは、
ＤＣＭ＝（ＤＣ（ｓｔｄ）＋ΔＤＣ）＋（ＤＭ（ｓｔｄ）＋ΔＤＭ）
＝（ＤＣ（ｓｔｄ）＋ＤＭ（ｓｔｄ））
＋［｛（ＤＣ（ｓｔｄ）＋ＤＭ（ｓｔｄ））＋ΔＤＣ｝−（ＤＣ（ｓｔｄ）＋ＤＭ（ｓｔｄ））］
＋［｛（ＤＣ（ｓｔｄ）＋ＤＭ（ｓｔｄ））＋ΔＤＭ｝−（ＤＣ（ｓｔｄ）＋ＤＭ（ｓｔｄ））］
…（１０）
と表すことができる。この場合、（１０）式の右辺第１項は、Ｃ１００％且つＭ１００％の網点％からなるカラーパッチ３０を基準濃度条件で作成したときの基準分光濃度を表し、右辺第２項は、Ｃ１００％且つＭ１００％の網点％からなるカラーパッチ３０のＣ１００％のみの濃度を所定の変更濃度条件に変更したときの分光濃度の前記基準濃度条件からの差分量を表し、右辺第３項は、Ｃ１００％且つＭ１００％の網点％からなるカラーパッチ３０のＭ１００％のみの濃度を所定の変更濃度条件に変更したときの分光濃度の前記基準濃度条件からの差分量を表している。
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
撮影レンズを通して受光した被写体光を光電変換する撮像素子と、
前記撮像素子から得られる画像データに対して、ホワイトバランス補正を行うホワイトバランス補正部と、
前記ホワイトバランス補正が行われた画像データを、輝度成分のデータと色成分のデータとに分離するデータ分離部と、
前記データ分離部で分離された前記輝度成分のデータに対して、前記撮影レンズの光学特性よりも強調したシェーディングを付加するシェーディング処理部と、を備えることを特徴とする撮像装置。
【請求項２】
前記画像データの各画素の位置に応じて、前記シェーディングを付加する処理で用いる補正係数を１以下の値として算出する補正係数算出部をさらに備え、
前記シェーディング処理部は、前記画像データの各画素の位置ごとに、その画素位置の画素値の輝度成分に前記１以下の補正係数を乗ずることにより、シェーディングを付加した画像データを得ることを特徴とする請求項１に記載の撮像装置。
【請求項３】
前記補正係数算出部は、画像上の各位置における補正係数の値を、画像上の任意の基準位置からの第１の方向における距離と、前記第１の方向とは異なる第２の方向における距離とに応じて設定することを特徴とする請求項２に記載の撮像装置。
【請求項４】
画像データに対してトリミング処理を行うトリミング処理部をさらに備え、
前記シェーディング処理部は、前記シェーディングが付加された画像データに対して前記トリミング処理が行われた場合に、前記シェーディングが付加された画像データに対して、前記トリミングが行われる前に行ったシェーディング付加処理とは異なるシェーディング付加処理を行うことを特徴とする請求項１に記載の撮像装置。
【請求項５】
前記撮影レンズの焦点距離を取得する焦点距離取得部をさらに備え、
前記シェーディング処理部は、前記焦点距離取得部によって取得された撮影時における前記撮影レンズの焦点距離に応じて、前記画像データに付加するシェーディングの特性を変更することを特徴とする請求項１から請求項４のいずれか一項に記載の撮像装置。
【請求項６】
撮影レンズを通して撮像素子で受光した被写体光を光電変換することにより得られる画像データに対して、ホワイトバランス補正を行うステップと、
前記ホワイトバランス補正が行われた画像データを、輝度成分のデータと色成分のデータとに分離するステップと、
分離された前記輝度成分のデータに対して、前記撮影レンズの光学特性よりも強調したシェーディングを付加するステップと、
を備えることを特徴とする画像処理方法。
【手続補正２】
【補正対象書類名】明細書
【補正対象項目名】発明の名称
【補正方法】変更
【補正の内容】
【発明の名称】撮像装置、および、画像処理方法
【手続補正３】
【補正対象書類名】明細書
【補正対象項目名】０００８
【補正方法】削除
【補正の内容】
【手続補正４】
【補正対象書類名】明細書
【補正対象項目名】０１０９
【補正方法】変更
【補正の内容】
【０１０９】
なお、上述した各実施形態の説明では、デジタルスチルカメラを例に挙げて説明したが、各実施形態で説明した処理を実現するためのプログラムをコンピュータが実行する構成とすることもできる。すなわち、ＣＰＵ、ＲＡＭ等の主記憶装置、各実施形態で説明した処理の全て或いは一部を実現させるためのプログラムが記憶されたコンピュータ読み取り可能な記憶媒体を備えたコンピュータにおいて、ＣＰＵが上記記憶媒体に記憶されているプログラムを読み出して、情報の加工・演算処理を実行することにより、上述の撮像装置と同様の処理を実現させる。
ここで、コンピュータ読み取り可能な記録媒体とは、磁気ディスク、光磁気ディスク、ＣＤ−ＲＯＭ、ＤＶＤ−ＲＯＭ、半導体メモリ等をいう。また、上述したプログラムを通信回線によってコンピュータに配信し、この配信を受けたコンピュータがプログラムを実行するようにしても良い。
【手続補正５】
【補正対象書類名】明細書
【補正対象項目名】０１１０
【補正方法】変更
【補正の内容】
【０１１０】
本願発明には、以下のような態様の撮像装置および画像処理プログラムも含まれる。
（１）補正係数算出部は、画像上の各位置における補正係数の値を、画像上の任意の基準位置からの距離に応じて設定することを特徴とする撮像装置。
（２）シェーディングを付加するための１以下の補正係数を算出する補正係数算出部をさらに備え、
補正係数算出部は、トリミング処理が行われる前の画像データのサイズに応じた第１の補正係数を算出するとともに、トリミング処理が行われた後の画像データのサイズに応じた第２の補正係数を算出し、
シェーディング処理部は、トリミング処理が行われた後の画像データと、第１の補正係数および第２の補正係数とに基づいて、トリミング処理が行われた後の画像データに対して、シェーディングを付加する処理を行うことを特徴とする撮像装置。
（３）シェーディング処理部は、第２の補正係数を第１の補正係数で除算して得られる第３の補正係数を用いて、トリミング処理が行われた後の画像データに対してシェーディングを付加する処理を行うことを特徴とする撮像装置。
（４）シェーディングが付加された画像データと、シェーディングを付加する処理を行う際に用いられた補正係数とを対応付けて記録する記録部をさらに備えることを特徴とする撮像装置。
（５）撮影レンズの焦点距離に応じたシェーディング特性のデータを記憶するシェーディング特性データ記憶部をさらに備え、
シェーディング処理部は、焦点距離取得部によって取得された撮影時における撮影レンズの焦点距離に応じたシェーディング特性のデータをシェーディング特性データ記憶部から読み出して用いることを特徴とする撮像装置。
（６）撮影レンズを通して撮像素子で受光した被写体光を光電変換することにより得られる画像データに対して、ホワイトバランス補正を行うステップと、
ホワイトバランス補正が行われた画像データを、輝度成分のデータと色成分のデータとに分離するステップと、
分離された輝度成分のデータに対して、撮影レンズの光学特性よりも強調したシェーディングを付加するステップと、
をコンピュータに実行させるための画像処理プログラム。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
パラメータが付随した処理指定情報であって、当該パラメータに応じた特定の処理をデータ処理装置に実行させるための処理指定情報を格納した付加情報付画像データを生成する画像データ生成装置において、
上記処理指定情報には、位置情報をパラメータとするものと、ネットワーク上のアドレス情報をパラメータとするものとが少なくとも含まれており、
外部から入力された入力情報に基づいて、位置情報と、該位置情報が示す位置に関連する情報にアクセスするためのネットワーク上のアドレス情報とを、上記パラメータとして決定する決定手段と、
上記複数の処理指定情報の各々に、上記決定手段によって決定されたパラメータを付随させて画像データに格納する格納手段と、
を備えていることを特徴とする画像データ生成装置。
【請求項２】
上記決定手段は、上記入力情報と上記複数の処理指定情報の各々に付随させるべきパラメータとが関連付けて記録されている管理テーブルを参照することによって、上記複数の処理指定情報の各々に付随させるパラメータを決定することを特徴とする請求項１に記載の画像データ生成装置。
【請求項３】
上記入力情報は、テキストデータであり、
上記決定手段は、上記複数の処理指定情報の各々に付随させるべきパラメータが有するパターンに合致する文字列を上記入力情報から抽出することによって、上記複数の処理指定情報の各々に付随させるパラメータを決定することを特徴とする請求項１に記載の画像データ生成装置。
【請求項４】
上記入力情報は、上記複数の処理指定情報の各々に付随させるべきパラメータの種類を指定する指定情報を含み、
上記決定手段は、上記複数の処理指定情報の各々に付随させるパラメータのうち、上記指定情報により指定された種類のパラメータを、外部から入力された入力情報に基づいて決定することを特徴とする請求項１から３のいずれか１項に記載の画像データ生成装置。
【請求項５】
上記決定手段は、表示されている地図上における位置の選択を外部からの入力として、選択された当該位置を示す位置情報を上記パラメータとして決定することを特徴とする請求項１から４のいずれか１項に記載の画像データ生成装置。
【請求項６】
位置情報をパラメータとするものと、ネットワーク上のアドレス情報をパラメータとするものとが少なくとも含まれている、パラメータが付随した処理指定情報であって、当該パラメータに応じた特定の処理をデータ処理装置に実行させるための処理指定情報を格納した付加情報付画像データの生成を指示する指示信号を送信する端末側送信手段と、
当該付加情報付画像データを受信する端末側受信手段と、を備えたクライアント端末装置と、
上記指示信号を受信するサーバ側受信手段と、
上記サーバ側受信手段が上記指示信号を受け付けたとき、外部から入力された入力情報に基づいて、位置情報と、該位置情報が示す位置に関連する情報にアクセスするためのネットワーク上のアドレス情報とを、上記パラメータとして決定する決定手段と、
上記複数の処理指定情報の各々に、上記決定手段によって決定されたパラメータを付随させて画像データに格納する格納手段と、
生成した上記付加情報付画像データをクライアント端末装置へ送信するサーバ側送信手段と、を備えた画像データ生成サーバ装置と、
を備えていることを特徴とする画像データ生成システム。
【請求項７】
上記入力情報は、生成した上記付加情報付画像データの送信先であるクライアント端末装置に上記付加情報付画像データを送信するための送信先情報を含み、
上記サーバ側送信手段は、上記送信先情報に基づいて、生成した上記付加情報付画像データをクライアント端末装置へ送信することを特徴とする請求項６に記載の画像データ生成システム。
【請求項８】
パラメータが付随した処理指定情報であって、当該パラメータに応じた特定の処理をデータ処理装置に実行させるための処理指定情報を格納した付加情報付画像データを生成する画像データ生成方法において、
上記処理指定情報には、位置情報をパラメータとするものと、ネットワーク上のアドレス情報をパラメータとするものとが少なくとも含まれており、
外部から入力された入力情報に基づいて、位置情報と、該位置情報が示す位置に関連する情報にアクセスするためのネットワーク上のアドレス情報とを、上記パラメータとして決定する決定ステップと、
上記複数の処理指定情報の各々に、上記決定ステップにおいて決定されたパラメータを付随させて画像データに格納する格納ステップと、
を含むことを特徴とする画像データ生成方法。
【請求項９】
請求項１から５のいずれか１項に記載の画像データ生成装置が備えているコンピュータを動作させるプログラムであって、上記コンピュータを上記の各手段として機能させるためのプログラム。
【請求項１０】
請求項９に記載のプログラムを記録しているコンピュータ読み取り可能な記録媒体。
【手続補正書】
【提出日】平成23年9月15日(2011.9.15)
【手続補正１】
【補正対象書類名】特許請求の範囲
【補正対象項目名】全文
【補正方法】変更
【補正の内容】
【特許請求の範囲】
【請求項１】
動画データを再生する再生手段と、
前記再生手段での再生の停止指示を受け付ける停止指示受付手段と、
前記停止指示受付手段によって停止指示を受け付けた際に、前記再生手段での再生が正常に行われていたか否かを判定する判定手段と、
前記判定手段によって再生が正常に行われていなかったと判定された場合、前記動画データのうち前記停止指示を受け付けて停止した再生位置より後のフレームを、レジューム再生位置として記録するよう制御する記録制御手段とを有することを特徴とする画像再生装置。
【請求項２】
動画データを再生する再生手段と、
レジューム再生位置の記録を指示する指示手段と、
前記指示手段による指示の際に、前記再生手段での再生が正常に行われていたか否かを判定する判定手段と、
前記判定手段によって再生が正常に行われていなかったと判定された場合、前記動画データのうち前記指示手段による指示の際に再生していた再生位置より後のフレームを、レジューム再生位置として記録するよう制御する記録制御手段とを有することを特徴とする画像再生装置。
【請求項３】
前記記録制御手段は、前記判定手段によって再生が正常に行われていると判定された場合、前記動画データのうち、前記停止した再生位置のフレームを前記レジューム再生位置として記録するよう制御することを特徴とする請求項１又は２に記載の画像再生装置。
【請求項４】
前記判定手段によって再生が正常に行われていないと判定された場合、前記記録制御手段は、前記動画データのうち前記停止した再生位置より後のＩフレームを、前記レジューム再生位置として記録するよう制御することを特徴とする請求項１乃至３のいずれか１項に記載の画像再生装置。
【請求項５】
前記判定手段によって再生が正常に行われていないと判定された場合、前記記録制御手段は、前記動画データのうち前記停止した再生位置より後のＩフレームうち、音声データの記録単位での先頭フレームを前記レジューム再生位置として記録するよう制御することを特徴とする請求項４に記載の画像再生装置。
【請求項６】
前記判定手段によって再生が正常に行われていないと判定された場合、前記動画データのうち、該動画データが正常に再生しなくなった位置から、前記レジューム再生位置までを編集する編集手段をさらに有することを特徴とする請求項１乃至５のいずれか１項に記載の画像再生装置。
【請求項７】
前記編集手段は、前記動画データのうち、該動画データが正常に再生しなくなった位置から、前記レジューム再生位置までのフレームを他の再生可能なフレームに置き換えることを特徴とする請求項６に記載の画像再生装置。
【請求項８】
前記編集手段は、前記動画データのうち、該動画データが正常に再生しなくなった位置から、前記レジューム再生位置までのフレームを削除することを特徴とする請求項６に記載の画像再生装置。
【請求項９】
動画データを再生する再生ステップと、
前記再生ステップでの再生の停止指示を受け付ける停止指示受付ステップと、
前記停止指示受付ステップによって停止指示を受け付けた際に、前記再生ステップでの再生が正常に行われていたか否かを判定する判定ステップと、
前記判定ステップによって再生が正常に行われていなかったと判定された場合、前記動画データのうち前記停止指示を受け付けて停止した再生位置より後のフレームを、レジューム再生位置として記録するよう制御する記録制御ステップとを有することを特徴とする画像再生装置の制御方法。
【請求項１０】
動画データを再生する再生ステップと、
レジューム再生位置の記録を指示する指示ステップと、
前記指示ステップによる指示の際に、前記再生ステップでの再生が正常に行われていたか否かを判定する判定ステップと、
前記判定ステップによって再生が正常に行われていなかったと判定された場合、前記動画データのうち前記指示ステップによる指示の際に再生していた再生位置より後のフレームを、レジューム再生位置として記録するよう制御する記録制御ステップとを有することを特徴とする画像再生装置の制御方法。
【請求項１１】
コンピュータを、請求項１乃至８のいずれか１項に記載された画像再生装置の各手段として機能させるためのプログラム。
【請求項１２】
コンピュータを、請求項１乃至８のいずれか１項に記載された画像再生装置の各手段として機能させるためのプログラムを記憶したコンピュータが読み取り可能な記憶媒体。
【手続補正２】
【補正対象書類名】明細書
【補正対象項目名】発明の名称
【補正方法】変更
【補正の内容】
【発明の名称】画像再生装置及びその制御方法
【手続補正３】
【補正対象書類名】明細書
【補正対象項目名】０００１
【補正方法】変更
【補正の内容】
【０００１】
本発明は、動画データをレジューム再生するのに好適な画像再生装置、画像再生装置の制御方法、プログラム及びコンピュータ読み取り可能な記憶媒体に関する。
【手続補正４】
【補正対象書類名】明細書
【補正対象項目名】０００６
【補正方法】変更
【補正の内容】
【０００６】
本発明の画像再生装置は、動画データを再生する再生手段と、前記再生手段での再生の停止指示を受け付ける停止指示受付手段と、前記停止指示受付手段によって停止指示を受け付けた際に、前記再生手段での再生が正常に行われていたか否かを判定する判定手段と、前記判定手段によって再生が正常に行われていなかったと判定された場合、前記動画データのうち前記停止指示を受け付けて停止した再生位置より後のフレームを、レジューム再生位置として記録するよう制御する記録制御手段とを有することを特徴とする。
本発明の別の画像再生装置は、動画データを再生する再生手段と、レジューム再生位置の記録を指示する指示手段と、前記指示手段による指示の際に、前記再生手段での再生が正常に行われていたか否かを判定する判定手段と、前記判定手段によって再生が正常に行われていなかったと判定された場合、前記動画データのうち前記指示手段による指示の際に再生していた再生位置より後のフレームを、レジューム再生位置として記録するよう制御する記録制御手段とを有することを特徴とする。
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
タンパク質の生産方法であって、
トラウストチトリアレス目の組換え微生物を培地中で培養する工程であって、ここで、該組換え微生物は、タンパク質を生産するための、タンパク質をコードする外来遺伝子を含む単離された核酸分子を含む工程；および
タンパク質を回収する工程
を含む方法。
【請求項２】
単離された核酸分子がさらに１つまたは複数の転写制御配列を含み、外来遺伝子が１つまたは複数の転写制御配列に実施可能に連結されている、請求項１記載の方法。
【請求項３】
１つまたは複数の転写制御配列がトラウストチトリアレスの転写制御配列を含む、請求項２記載の方法。
【請求項４】
トラウストチトリアレスの転写制御配列が、トラウストチトリアレスのプロモーター配列、トラウストチトリアレスのエンハンサー配列、トラウストチトリアレスのオペレーター配列、トラウストチトリアレスのリプレッサー配列、およびそれらの組合せから成る群より選択される、請求項３記載の方法。
【請求項５】
少なくとも１つのトラウストチトリアレスの転写制御配列がトラウストチトリアレスのプロモーター配列である、請求項４記載の方法。
【請求項６】
トラウストチトリアレスのプロモーター配列が、トラウストチトリアレスのアセト乳酸シンターゼプロモーター配列、トラウストチトリアレスのα-チューブリンプロモーター配列、トラウストチトリアレスのポリケチドシンターゼ(PKS)系プロモーター配列、およびトラウストチトリアレスの脂肪酸デサチュラーゼプロモーター配列から成る群より選択される、請求項５記載の方法。
【請求項７】
単離された核酸分子がさらにシグナルセグメント核酸配列を含む、請求項１記載の方法。
【請求項８】
タンパク質が培地中に分泌され、タンパク質が培地から回収される、請求項１記載の方法。
【請求項９】
微生物が、トラウストチトリウム、ラビリンチュロイデス、ジャポノチトリウム、およびシゾチトリウムから成る群より選択される属のものである、請求項１記載の方法。
【請求項１０】
微生物が、シゾチトリウム属種、シゾチトリウムアグレガタム、シゾチトリウムリマシナム、トラウストチトリウム属種、トラウストチトリウムストリアタム、トラウストチトリウムオーレウム、トラウストチトリウムローゼウム、およびジャポノチトリウム属種から成る群より選択される種のものである、請求項９記載の方法。
【請求項１１】
タンパク質の生産方法であって、
トラウストチトリアレス目の組換え微生物を培地中で培養する工程であって、該組換え微生物が、タンパク質を生産するために、タンパク質をコードする外来遺伝子を含む単離された核酸分子を含む工程；および
タンパク質を含む微生物を収集する工程
を含む方法。
【請求項１２】
微生物がバイオマスとして収集される、請求項１１記載の方法。
【請求項１３】
微生物細胞を形質転換する方法であって、
トラウストチトリアレス目の微生物細胞内に、発現させるタンパク質をコードする核酸配列と選択マーカーを含む組換え核酸分子を導入する工程；および
組換え核酸分子による形質転換の成功した微生物細胞を選択する工程
を含む方法。
【請求項１４】
発現させるタンパク質をコードする核酸配列が相同組換えによって微生物のゲノム中に組み込まれる、請求項１３記載の方法。
【請求項１５】
組換え核酸分子がさらに１つまたは複数の転写制御配列を含み、発現させるタンパク質をコードする核酸配列が１つまたは複数の転写制御配列に実施可能に連結されている、請求項１３記載の方法。
【請求項１６】
１つまたは複数の転写制御配列が１つまたは複数のトラウストチトリアレスの転写制御配列を含む、請求項１５記載の方法。
【請求項１７】
１つまたは複数のトラウストチトリアレスの転写制御配列が、トラウストチトリアレスのプロモーター配列、トラウストチトリアレスのエンハンサー配列、トラウストチトリアレスのオペレーター配列、トラウストチトリアレスのリプレッサー配列、およびそれらの組合せから成る群より選択される、請求項１６記載の方法。
【請求項１８】
少なくとも１つのトラウストチトリアレスの転写制御配列がトラウストチトリアレスのプロモーター配列である、請求項１７記載の方法。
【請求項１９】
トラウストチトリアレスのプロモーター配列が、トラウストチトリアレスのアセト乳酸シンターゼプロモーター配列、トラウストチトリアレスのα-チューブリンプロモーター配列、トラウストチトリアレスのポリケチドシンターゼ(PKS)系プロモーター配列、およびトラウストチトリアレスの脂肪酸デサチュラーゼプロモーター配列から成る群より選択される、請求項１８記載の方法。
【請求項２０】
組換え核酸分子がさらにシグナルセグメント核酸配列を含む、請求項１３記載の方法。
【請求項２１】
微生物の天然遺伝子を不活化、削除もしくは変異させる方法であって、
トラウストチトリアレス目の微生物細胞内に、微生物中の標的核酸配列にハイブリダイズする核酸配列を含む組換え核酸分子を導入する工程であって、微生物中の遺伝子が、ハイブリダイズする核酸配列と標的核酸配列との間の相同組換えによって不活化、削除もしくは変異させられる工程；および
不活化、削除もしくは変異された遺伝子を含む微生物細胞を選択する工程
を含む方法。
【請求項２２】
遺伝子が、脂肪酸生合成に関与するタンパク質、イソプレノイド経路の生成物の合成に関与するタンパク質、もしくは細胞壁成分の合成に関与するタンパク質をコードするか又はその発現を制御する、請求項２１記載の方法。
【請求項２３】
遺伝子が、リパーゼ、脂肪酸酸化酵素、不快な風味もしくは匂いを有するタンパク質、脂肪酸、カロテノイド、ステロールまたはビタミンの合成に関与するタンパク質をコードするか又はその発現を制御する、請求項２２記載の方法。
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
（ａ）炭素源として加熱処理もアルカリ処理も行わない紙類由来のパルプ、及び（ｂ）窒素源としてアンモニア態窒素またはアミノ態窒素を含む液体培地を用いて、トリコデルマ・リーセイを培養する工程を包含するβ−グルカナーゼ及びキシラナーゼの製造方法であって、
該パルプの前記液体培地中における濃度が２％Ｗ/Ｖ以上であるβ−グルカナーゼ及びキシラナーゼの製造方法により製造されたβ−グルカナーゼ及びキシラナーゼ。
【請求項２】
前記パルプの前記液体培地中における初期濃度が２〜７％Ｗ/Ｖである請求項１に記載のβ−グルカナーゼ及びキシラナーゼ。
【請求項３】
前記アンモニア態窒素またはアミノ態窒素の前記液体培地中における濃度が３５ｍＭ以上である請求項１又は２に記載のβ−グルカナーゼ及びキシラナーゼ。
【請求項４】
前記アンモニア態窒素またはアミノ態窒素の前記液体培地中における初期濃度が３５〜６６０ｍＭである請求項１〜３のいずれか一項に記載のβ−グルカナーゼ及びキシラナーゼ。
【請求項５】
前記紙類が上質紙、更紙、コピー用紙、新聞紙及びダンボール紙からなる群から選択される少なくとも一種である請求項１〜４のいずれか一項に記載のβ−グルカナーゼ及びキシラナーゼ。
【請求項６】
培養の過程において前記液体培地に対してパルプを追加する請求項１〜５のいずれか一項に記載のβ−グルカナーゼ及びキシラナーゼ。
【請求項７】
請求項１〜６のいずれか一項に記載のβ−グルカナーゼ及びキシラナーゼを用いることを特徴とするセルロース資源の分解または糖化方法。
【手続補正２】
【補正対象書類名】明細書
【補正対象項目名】００２８
【補正方法】変更
【補正の内容】
【００２８】
パルプ：１ｇ、（ＮＨ４）２ＳＯ４：０．１４ｇ、ＫＨ２ＰＯ４：１．５ｇ、ＣａＣｌ２・２Ｈ２Ｏ：０．０３ｇ、ＭｇＳＯ４・７Ｈ２Ｏ：０．０３ｇ、コーンスティープリカー：２ｍＬ、ツイーン８０：０．１ｍＬ、微量元素液（Ｈ３ＢＯ４  ６ｍｇ、（ＮＨ４）６Ｍｏ７Ｏ２４・４Ｈ２Ｏ  ２６ｍｇ、ＦeＣｌ３・６Ｈ２Ｏ  １００ｍｇ、ＣuＳＯ４・５Ｈ２Ｏ  ４０ｍｇ、ＭnＣｌ２・４Ｈ２Ｏ  ８ｍｇ、ＺｎＳＯ４・７Ｈ２Ｏ  ２００ｍｇ液）：０．１ｍＬ、水：１００ｍＬを含む（燐酸または水酸化ナトリウムでｐＨ４．８に調整）